(57)【特許請求の範囲】
【請求項１】
ケーシングと、それぞれがギア軸とギア部とを備え、上記ケーシングの内部に互いのギア部が噛み合った状態で収容された２つのギアと、上記ケーシングに形成された吸込口および吐出口とを備え、上記２つのギアの回転により、上記吸込口から吸い込んだ液体を上記吐出口から吐出するように構成されたギアポンプであって、
上記ケーシングは、上記各ギアのギア部を収容し、両端が開口するケーシング本体と、上記ケーシング本体の両端の開口部をそれぞれ封鎖するとともに、上記各ギアのギア軸の軸端部を外部に突出させるサイドカバーと、上記サイドカバーに対して着脱可能に取付けられ、上記各ギアのギア軸の軸端部をベアリングを介して支持するギア軸支持部材と、を備えて構成されていることを特徴とする、ギアポンプ。
【請求項２】
上記サイドカバーには、上記各ギア軸を突出させる挿通孔が形成されており、かつ、このサイドカバーには、上記挿通孔を封鎖するようにして、内周にシール部材を保持した環状のシールカバーが着脱可能に取付けられている、請求項１に記載のギアポンプ。
【請求項３】
上記シールカバーとこのシールカバーを挿通するギア軸との間には、メカニカルシールが設けられている、請求項２に記載のギアポンプ。
【請求項４】
上記サイドカバーの上記挿通孔の内径は、上記メカニカルシールの外径より大である、請求項３に記載のギアポンプ。
【請求項５】
上記ベアリングは、自動調心ころ軸受である、請求項１ないし４のいずれかに記載のギアポンプ。
【請求項６】
上記ベアリングは、その外輪が上記ギア軸支持部材に保持され、その内輪がアダプタ部材を介し、上記ギア軸の軸端部外周面に保持されている、請求項５に記載のギアポンプ。
【請求項７】
上記内輪の内周面は、上記ギア軸の軸端方向に向かうほど小径となるテーパ状を呈している一方、上記アダプタ部材の外周面は、上記内輪の内周面と対応して、上記ギア軸の軸端方向に向かうほど小径となるテーパ状を呈しており、かつ、このアダプタ部材の外周面の最小径部と隣接する端部には、ねじが形成されていて、このねじには、ナットが螺合されている、請求項６に記載のギアポンプ。
【請求項８】
上記２つのギアの各ギア軸の一方の軸端部は、上記ケーシングの外部に延出させられており、かつ、これらの軸端部には、互いに噛み合う補助ギアが取付けられている、請求項１ないし７のいずれかに記載のギアポンプ。
【発明の詳細な説明】
【技術分野】
【０００１】
本発明は、たとえばタンクローリー車などに搭載された液体積み荷をおろすために用いられるギアポンプに関する。
【背景技術】
【０００２】
図６には、従来のギアポンプの一例（特許文献１参照）を断面図で示している。図６に示すギアポンプＸは、ケーシング本体９１０、リヤカバー９１１、サイドカバー９１２，９１３、ギア９２０，９３０、および４個のベアリング９５０を備えている。ギア９２０は、複数の歯を持つギア部９２１と、外部からの回転をギア部９２１に伝えるギア軸９２２とで構成されている。ギア９３０は、ギア９２０と噛み合っており、ギア部９２１の回転とともに回転するギア部９３１と、ギア部９３１を保持するギア軸９３２とで構成されている。
【０００３】
ケーシング本体９１０は、ギア部９２１，９３１を収容する空洞部９１７を有している。この空洞部９１７は、図示しない吸込口および図示しない吐出口に繋がっている。サイドカバー９１２，９１３は、ギア軸９２２，９３２が延びる方向における空洞部９１７の両端に嵌め込まれている。サイドカバー９１２，９１３は、それぞれギア軸９２２，９３２を通すための挿通孔を有している。リヤカバー９１１は、サイドカバー９１３を覆うようにケーシング本体９１０に取り付けられている。
【０００４】
ベアリング９５０は、ギア軸９２２，９３２を回転可能に保持しており、ケーシング本体９１０またはリヤカバー９１１に嵌め込まれている。ベアリング９５０のうち２つは、リヤカバー９１１にサイドカバー９１３に隣接するように嵌め込まれている。ベアリング９５０の残りの２つは、ケーシング本体９１０の内部のサイドカバー９１２に隣接するように嵌め込まれている。
【０００５】
このギアポンプＸは、図示しない吸込口から空洞部９１７に汲みだしたい液体を引き込み、ギア部９２１，９３１の回転によって上記液体を図示しない吐出口へ送り出すことによりポンプとして機能する。このとき、空洞部９１７内が高圧となるため、ケーシング本体９１０とサイドカバー９１２，９１３とが強固に固定されているのが望ましい。
【０００６】
このようなギアポンプＸにおいては、ベアリング９５０が消耗し、取り替える必要が生じることがある。しかしながら、ギアポンプＸにおいては、ケーシング本体９１０に嵌め込まれたベアリング９５０を外そうとすると、ポンプ全体を解体する必要があった。このとき、特に、ケーシング９１０とサイドカバー９１２，９１３とを外し、また再度組み立てる作業には大きな労力が必要であった。さらに、空洞部９１７内の液体がギア軸９２２，９３２とベアリング９５０との間に入り込み、ギア軸９２２，９３２とベアリング９５０とが強固着してしまい、ギア軸９２２，９３２を引き抜く作業が困難になっていた。
【０００７】
【特許文献１】特開２００５−４８５９４号公報
【発明の開示】
【発明が解決しようとする課題】
【０００８】
本発明は、上記した事情のもとで考え出されたものであって、ベアリングの取替えを容易に行うことができるギアポンプを提供することを課題としている。
【課題を解決するための手段】
【０００９】
本発明によって提供されるギアポンプは、ケーシングと、それぞれがギア軸とギア部とを備え、上記ケーシングの内部に互いのギア部が噛み合った状態で収容された２つのギアと、上記ケーシングに形成された吸込口および吐出口とを備え、上記２つのギアの回転により、上記吸込口から吸い込んだ液体を上記吐出口から吐出するように構成されたギアポンプであって、上記ケーシングは、上記各ギアのギア部を収容し、両端が開口するケーシング本体と、上記ケーシング本体の両端の開口部をそれぞれ封鎖するとともに、上記各ギアのギア軸の軸端部を外部に突出させるサイドカバーと、上記サイドカバーに対して着脱可能に取付けられ、上記各ギアのギア軸の軸端部をベアリングを介して支持するギア軸支持部材と、を備えて構成されていることを特徴とする。
【００１０】
このような構成によれば、上記ベアリングが、上記サイドカバーに対して着脱可能な位置にある上記ギア軸支持部材内に保持されている。このため、上記ベアリングをギア軸から取り外す際に、上記サイドカバーを上記ケーシング本体から取り外す必要がなく、比較的容易に上記ベアリングを取り出すことができる。
【００１１】
本発明の好ましい実施の形態においては、上記サイドカバーには、上記各ギア軸を突出させる挿通孔が形成されており、かつ、このサイドカバーには、上記挿通孔を封鎖するようにして、内周にシール部材を保持した環状のシールカバーが着脱可能に取付けられている。このような構成によれば、上記ケーシング内の液体が上記挿通孔から漏れ出るのを防ぐことができる。このため、上記ギア軸と上記ベアリングとの間に上記液体が入り込みにくくなり、上記ギア軸支持部材を上記サイドカバーから取り外す際に、上記ベアリングが上記ギア軸に沿って動きやすくなる。
【００１２】
さらに、本発明の好ましい実施の形態においては、上記シールカバーとこのシールカバーを挿通するギア軸との間には、メカニカルシールが設けられている。このような構成によれば、上記ケーシング内の液体が上記挿通孔から漏れ出るのをより確実に防ぐことができる。
【００１３】
より好ましい実施の形態においては、上記サイドカバーの上記挿通孔の内径は、上記メカニカルシールの外径より大である。このような構成によれば、上記シールカバーを外すことにより、上記メカニカルシールを上記挿通孔から引き抜くことが可能となり、上記メカニカルシールを交換のために取り出す際に、上記サイドカバーを上記ケーシング本体から外さずに行うことができる。
【００１４】
本発明の好ましい実施の形態においては、上記ベアリングは、自動調心ころ軸受である。さらに、上記ベアリングは、その外輪が上記ギア軸支持部材に保持され、その内輪がアダプタ部材を介し、上記ギア軸の軸端部外周面に保持されている。
【００１５】
さらにより好ましい実施の形態においては、上記内輪の内周面は、上記ギア軸の軸端方向に向かうほど小径となるテーパ状を呈している一方、上記アダプタ部材の外周面は、上記内輪の内周面と対応して、上記ギア軸の軸端方向に向かうほど小径となるテーパ状を呈しており、かつ、このアダプタ部材の外周面の最小径部と隣接する端部には、ねじが形成されていて、このねじには、ナットが螺合されている。このような構成によれば、上記ナットを緩めることによって、上記アダプタ部材と上記ギア軸との固定を解除し、上記ベアリングを上記ギア軸に沿って移動させることが可能となる。このため、上記ベアリングを上記ギア軸から容易に引き抜くことが可能となる。
【００１６】
本発明の好ましい実施の形態においては、上記２つのギアの各ギア軸の一方の軸端部は、上記ケーシングの外部に延出させられており、かつ、これらの軸端部には、互いに噛み合う補助ギアが取付けられている。このような構成によれば、上記２つのギアの間の回転の伝達を上記補助ギアによって行うことができるため、上記２つのギアのギア部同士が強く圧接しないようにすることができる。このため、上記２つのギアの擦り合わせによって金属の削り粉が発生するのを抑えることができる。
【００１７】
本発明のその他の特徴および利点は、添付図面を参照して以下に行う詳細な説明によって、より明らかとなろう。
【発明を実施するための最良の形態】
【００１８】
以下、本発明の好ましい実施形態につき、図面を参照して具体的に説明する。
【００１９】
図１〜図５は、本発明に係るギアポンプの一例を示している。図１および図２に示すように、本実施形態のギアポンプＡは、ケーシング１０、ギア２０，３０、ギア軸支持部材４０、ベアリング５０、シールカバー６０、メカニカルシール７０、シール部材８１，８２，８３、および、ボルト９１，９２，９３，９４，９５，９６を備えている。このギアポンプＡは、たとえばタンクローリーなどに搭載された液体を下ろすために用いられるものであり、ギア２０，３０の回転によって液体を送り出すように構成されている。
【００２０】
ケーシング１０は、図１および図２に示すようにケーシング本体１１と、サイドカバー１２，１３とからなっている。ケーシング本体１１は、その上端に吸込口１５と吐出口１６とが開口しているとともに、下部には脚部１４が形成され、内部には、２つのギア２０，３０のギア部２１，３１を相互噛み合い状態で収容する断面長円型の空洞部１７が形成されている。このケーシング本体１１の両端部には、空洞部１７につながる開口部１１ａ，１１ｂがそれぞれ形成されている。これらの開口部１１ａ，１１ｂは、サイドカバー１２，１３によって封鎖される。
【００２１】
サイドカバー１２は、図１に示すように、１４個のボルト９１によってケーシング本体１１に強固に固定されている。同様に、サイドカバー１３も１４個のボルト９１によってケーシング本体１１に強固に固定されている。さらに図４に示すように、サイドカバー１２には、所定の大きさの円形の断面を有して貫通する２つの挿通孔１２ａが形成されている。サイドカバー１３にも同様の挿通孔１３ａが２つ形成されている。
【００２２】
ギア２０は、ステンレス製であり、図２および図３に示すように、ギア部２１、ギア軸２２、補助ギア２３、ギアキー２４、および、フランジヨーク２５を備えている。ギア部２１は、図３に示されているように、ギアキー２４を介してギア軸２２に対して相対回転不能に取付けられており、図２に示されているように、ギア部２１は、軸方向に沿う一方の端がサイドカバー１２の内面に、他方の端がサイドカバー１３の内面に、それぞれ密接するように形成されている。さらに、ギア部２１のサイドカバー１２に隣接する部分のギア軸２２周辺には凹嵌部２１ａが形成されており、サイドカバー１３に隣接する部分のギア軸２２周辺には凹嵌部２１ｂが形成されている。ギア軸２２は、挿通孔１２ａ，１３ａを通ってサイドカバー１２，１３の外側に延出している。ギア軸２２の一方の軸端部２２ａにはフランジヨーク２５が取付けられており、他方の軸端部２２ｂには補助ギア２３が取付けられている。このギア軸２２は、フランジヨーク２５を介して外部の回転力を受けて回転し、このギア軸２２の回転に従ってギア部２１および補助ギア２３は回転する。
【００２３】
ギア３０は、図２および図３に示すように、ギア２０と並列するように設置されており、ギア部３１、ギア軸３２、補助ギア３３、および、ギアキー３４を備えている。ギア部３１は、ギアキー３４を介してギア軸３２に対して相対回転不能に取付けられており、ギア部２１と同様の形状をしている。ギア部３１は、ギア部２１と同様に、一方の端がサイドカバー１２の内面に、他方の端がサイドカバー１３の内面に、それぞれ密接するように形成されている。さらに、ギア部３１のサイドカバー１２に隣接する部分のギア軸３２周辺には凹嵌部３１ａが形成されており、サイドカバー１３に隣接する部分のギア軸３２周辺には凹嵌部３１ｂが形成されている。ギア軸３２は、挿通孔１２ａ，１３ａを通ってサイドカバー１２，１３の外側に延出している。ギア軸３２の軸端部３２ｂには、補助ギア３３が取付けられている。この補助ギア３３は、補助ギア２３と同形であり、補助ギア２３とバックラッシュが０となるように噛み合わされている。このため、補助ギア３３が補助ギア２３の回転に遅れることなく逆方向に回転し、この補助ギア３３の回転に伴ってギア軸３２が回転する。したがって、ギアポンプＡにおいては、ギア部３１の回転とギア部２１の回転とがずれることがなく、なおかつ、ギア部２１の歯とギア部３１の歯とが擦り合わされにくい構成となっている。
【００２４】
ギア軸支持部材４０は、ギア軸２２，３２の軸端部２２ａ，２２ｂ，３２ａ，３２ｂを回転可能に保持するための部材であり、ギア軸２２，３２の一方の軸端部２２ａ，３２ａを回転可能に支持するベアリング保持部材４１と、ギア軸２２，３２の他方の軸端部２２ｂ，３２ｂを回転可能に支持するベアリング保持部材４４とを含んでいる。ベアリング保持部材４１は、各ギア軸２２，３２の一方の軸端部２２ａ，３２ａに外嵌された２つのベアリング５０を保持しているとともに、外面側にはベアリングカバー４２，４３が取付けられている。このベアリング保持部材４１は、１２本のボルト９２によってサイドカバー１２に連結されている。ベアリングカバー４２は、ギア軸２２を挿通させるための孔部を有しており、４本のボルト９３によってベアリング保持部材４０の外面に取り付けられている。ベアリングカバー４３はギア軸３２の軸端部３２ａと対向するようにして、４本のボルト９３によってベアリング保持部材４０の外面に取り付けられている。ベアリング保持部材４４は、各ギア軸２２，３２の他方の軸端部２２ｂ，３２ｂに外嵌された２つのベアリング５０を保持しており、１２本のボルト９２によってサイドカバー１３に連結されている。このベアリング保持部材４４の外側には各ギア軸２２，３２の他方の軸端部２２ｂ，３２ｂを外部に突出させるようにして、プレート４５が１６本のボルト９５によって取り付けられている。さらにこのプレート４５には補助ギア２３，３３を覆うための補助ギアケース４６が１６本のボルト９６によって取り付けられている。
【００２５】
図２および図４に示すように、ベアリング保持部材４１は、サイドカバー１２の外周部外面に接触してこのサイドカパー１２に対して取付けられる支持部４１２と、この支持部４１２と一体に形成され、２個のベアリング５０をそれぞれ保持する２つの収容部４１１とを備えている。各収容部４１１の内孔には、図４に示すように、２個のベアリング５０およびシール部材８２が嵌め込まれており、外周部には、ボルト９２を避けるように形成された凹部４１１ａが形成されている。支持部４１２には、図５に示すように、２つのジャッキ孔４１２ａと、ボルト９１を避けるように形成された複数の凹部４１２ｂとを備えており、外周適所がボルト９２によってサイドカバー１２に固定されている。ジャッキ孔４１２ａは、軸方向に沿って支持部４１２を貫通している。
【００２６】
ベアリングカバー４２，４３は、図２および図４に良く表れているように、ベアリング５０を収容部４１１の内孔に押し込むように形成されている。さらに、ベアリングカバー４２には、ギア軸２２を囲むように形成されたシール部材８１が嵌め込まれている。
【００２７】
ベアリング保持部材４４は、ベアリング保持部材４１と同様の構造を備えている。ただし、ベアリング保持部材４４に収容されたベアリング５０に対しては、ベアリングカバー４２，４３の代わりに、プレート４５が各ベアリング５０をベアリング保持部材４４の内孔に向けて押し込む役割を果たしている。
【００２８】
各ベアリング５０は、図４に詳示するように、外輪５１、内輪５２、複数のころ５３、アダプタ部材５４、およびナット５５を備えた自動調心ころ軸受である。外輪５１の外周面は収容部４１１の内孔に保持される。外輪５１の内周面と内輪５２の外周面とは向かい合うように配置されており、その間に２列に並べられた複数の樽状のころ５３が組み込まれている。内輪５２は、外輪５１の内周面に向かって延びるつば５２ａを備えている。このつば５２ａは、複数のころ５３を案内支持している。内輪５２の内周面は、軸方向に沿って外方に向かうほど小径となるテーパ状を呈している。アダプタ部材５４は、軸方向に沿って延びる略円筒状であり、その内周面がギア軸２２，３２に密着するように構成されている。このアダプタ部材５４の外周面は、内輪５２の内周面と対応して、軸方向に沿って軸端に向かうほど小径となるテーパ状を呈している。さらに、アダプタ部材５４の外周面の最小径部と隣接する先端部５４ａには、ねじが形成されている。この先端部５４ａに、ナット５５が螺合されている。ナット５５を締めると、アダプタ部材５４が軸方向の外方に向かって引っ張られ、アダプタ部材５４の外周面が内輪５２の内周面を押し上げるため、内輪５２とアダプタ部材５４とを強固に固定することができる。同時に、内輪５２とギア軸２２，３３との間をアダプタ部材５４が圧迫するため、内輪５２とギア軸２２，３３との連結も強固なものとなる。
【００２９】
このようなベアリング５０は、ナット５５を緩めることにより、ギア軸２２，３３、内輪５２およびアダプタ部材５４の連結を解除することができるため、ギア軸２２，３２から容易に取り外すことができる。
【００３０】
シールカバー６０は、図２に示すように、各挿通孔１２ａ，１３ａに対して設けられている。このシールカバー６０は、図５に示すように、ギア軸２２を囲む環状に形成されており、４本のボルト９４によってサイドカバー１２に固定されている。シールカバー６０とギア軸２２との間にはシール部材８３が嵌め込まれている。このシールカバー６０は、ボルト９４を外すことによりサイドカバー１２，１３から取り外すことが可能となっている。
【００３１】
メカニカルシール７０は、空洞部１７内の液体がサイドカバー１２，１３の外側に漏れるのを防ぐための略円筒状の部材であり、各挿通孔１２ａ，１３ａと凹嵌部２１ａ，２１ｂ，３１ａ，３１ｂとの間に設けられている。メカニカルシール７０は、図４に詳示するように、一方の端部がシールカバー６０に固定された固定環７１、スプリング７２、ギア軸２２に固定されスプリング７２の一端が固定された回転ケース７３、およびスプリング７２の他端が連結された回転環７４を備えている。固定環７１の他方の端部には、回転環７４と接触する、たとえばカーボン製のシールリング７１ａが取り付けられている。スプリング７２は、回転環７４をシールリング７１ａに押接させるように設置されている。回転ケース７３はギア軸２２，３２に、ともに回転するように固定されている。回転環７４はたとえばセラミック製であり、軸方向に沿って揺動可能なようにスプリング７２によって回転ケース７３に連結されている。メカニカルシール７０は、シールリング７１ａと回転環７４とを接触させることにより、空洞部１７内の液体が流出するのを防いでいる。このメカニカルシール７０はその最大径が挿通孔１２ａ，１３ａよりも小さく、固定環７１をシールカバー６０ごと挿通孔１２ａ，１３ａから引き抜くことができる。さらに、回転ケース７３および回転環７４を挿通孔１２ａ，１３ａから取り出すことが可能である。
【００３２】
なお、メカニカルシール７０としては、上記の例に限らず挿通孔１２ａ，１３ａから引き抜くことが可能なものであれば市販されているどのようなものを用いてもよい。
【００３３】
シール部材８１は、たとえばニトリルゴム製であり、ベアリングカバー４２とギア軸２２との間を封止している。シール部材８２は、たとえばフッ素樹脂製であり、ベアリング保持部材４１の収容部４１１とギア軸２２，３２との間を封止している。このシール部材８２は、ベアリング保持部材４４にも設けられている。シール部材８３は、たとえばフッ素樹脂製であり、各シールカバー６０とギア軸２２，３２との間を封止している。
【００３４】
次に、上記構成のギアポンプＡの作用について説明する。
【００３５】
ギアポンプＡは、ギア部２１，３１の歯同士と空洞部１７の壁との間に吸込口１５から吸い込んだ液体を閉じ込め、ギア部２１，３１を回転させることによって液体を吐出口１６へと送り出すことにより粘性の高い液体でも高圧で吐出させるポンプである。このギアポンプＡは、上述したように、シールカバー６０、メカニカルシール７０およびシール部材８２，８３を設けることにより空洞部１７内の液体がベアリング５０へと漏れ出るのを防いでいる。このため、ベアリング５０が液漏れによって故障しにくくなっている。しかしながら、ベアリング５０およびメカニカルシール７０は、その構造上、軸２２，２３の回転によって消耗する部品であり、いずれは交換もしくはメンテナンスのために取り出す必要がある。
【００３６】
上記したギアポンプＡは、ケーシング本体１１に強固に固定されたサイドカバー１２，１３の外側にギア軸支持部材４０が取り付けられた構造となっている。さらに、メカニカルシール７０が、サイドカバー１２，１３から取り外し可能なシールカバー６０に保持された構成となっている。このため、ギアポンプＡでは、ベアリング５０およびメカニカルシール７０を取り出しやすくなっている。以下、より詳細な説明を行う。
【００３７】
まず、ベアリング保持部材４１に収容された２つのベアリング５０を取り出す場合について説明を行う。
【００３８】
ギア軸２２を保持するベアリング５０を外す場合には、まず、フランジヨーク２５を取り外し、４本のボルト９３を引き抜いてベアリングカバー４２を取り外す。次に、ナット５５を緩めてベアリング５０をギア軸２２に沿って引っ張り出すことによってベアリング５０を取り出すことができる。
【００３９】
ギア軸３２を保持するベアリング５０を外す場合には、まず、４本のボルト９３を引き抜いてベアリングカバー４３を取り外す。次に、ナット５５を緩めてベアリング５０をギア軸３２に沿って引っ張り出すことによってベアリング５０を取り出すことができる。
【００４０】
次に、ベアリング保持部材４４に収容された２つのベアリング５０を取り出す場合について説明を行う。
【００４１】
この場合、まず、１６本のボルト９６を引き抜き、プレート４５から補助ギアケース４６を取り外す。次に、補助ギア２３，３３をギア軸２２，３２から取り外す。さらに次に、１６本のボルト９５を引き抜き、ベアリング保持部材４４からプレート４５を取り外す。そして、ナット５５を緩めてベアリング５０をギア軸２２，３２に沿って引っ張り出すことによってベアリング５０を取り出すことができる。
【００４２】
このように、本実施形態では、ベアリング５０を取り外すために、ベアリング保持部材４１，４４およびサイドカバー１２，１３を取り外す必要がなくなっている。さらに、ベアリング５０は、アダプタ部材５４を介してギア軸２２，３２に取り付けられており、ナット５５を緩めることによって容易にギア軸２２，３２との固定を解除することができる。このため、ベアリング５０の交換を容易に行うことが可能となっている。
【００４３】
次に、メカニカルシール７０を取り外す場合について説明を行う。なお、以下の工程は、上記の工程に従ってベアリング５０をすべて外した後に行われる。
【００４４】
まず、ベアリング保持部材４１，４４を取り外す。この際、それぞれ１２本のボルト９２を引き抜き、ベアリング保持部材４１,４４とサイドカバー１２，１３との固定を解除する。次に、ジャッキ孔４１２ａに軸方向に沿って延びるジャッキボルトをねじ込んでゆくと、ベアリング保持部材４１，４４はサイドカバー１２，１３から浮き上がり、容易に取り外すことが可能となる。なお、ベアリング保持部材４１，４４にベアリング５０を入れたまま、ベアリング保持部材４１，４４を取り外すことも可能である。この場合、ボルト９２を引き抜き、ナット５５を緩めた状態でジャッキ孔４１２ａにジャッキボルトをねじ込んでゆくことにより、ベアリング保持部材４１，４４は、ベアリング５０とともにサイドカバー１２，１３から引き離される。さらに、ベアリング保持部材４１，４４をベアリング５０ごとギア軸２２，３２から引き抜くことにより、シールカバー６０を露出させることができる。
【００４５】
次に、各シールカバー６０をサイドカバー１２，１３から取り外す。このとき、各メカニカルシール７０は、その固定側の部品が各シールカバー６０に取付けられているため、各シールカバー６０とともに取り外される。各シールカバー６０は、４本のボルト９４を引き抜いた後、軸方向に沿って引っ張ることによって取り外すことができる。また、メカニカルシール７０の回転側の部品は、適当な引っ掛け用具を用いて容易に軸方向外方に引っ張りだすことができる。
【００４６】
このように、本実施形態では、メカニカルシール７０を取り外す際にも、サイドカバー１２，１３をケーシング本体１１から取り外す必要がなく、比較的容易に行うことが可能となっている。
【００４７】
さらに、本実施形態では、補助ギア２３，３３を設けてギア部２１，３１が圧接しない構成となっているため、ギア部２１，３１から金属の削り粉が発生しにくくなっている。このため、ギアポンプＡは、食品または食品の材料となる液体を汲みだす場合にも安心して用いることができる。
【００４８】
本発明に係るギアポンプは、上述した実施形態に限定されるものではない。本発明に係るギアポンプの各部の具体的な構成は、種々に設計変更自在である。たとえば、上記実施形態においては、補助ギアを備えた構成となっているが、補助ギアを備えないギアポンプにおいても本発明は効果を有する。
【図面の簡単な説明】
【００４９】
【図１】本発明に係るギアポンプの一例を示す正面図である。
【図２】図１のII-II線に沿う断面図である。
【図３】図２のIII-III線に沿う断面図である。
【図４】図２の一部を拡大した断面図である。
【図５】図２のV-V線に沿う断面図である。
【図６】従来のギアポンプの一例を示す断面図である。
【符号の説明】
【００５０】
Ａ              ギアポンプ
１０            ケーシング
１１            ケーシング本体
１１ａ，１１ｂ  開口部
１２，１３      サイドカバー
１２ａ，１３ａ  挿通孔
１４            脚部
１５            吸込口
１６            吐出口
１７            空洞部
２０，３０      ギア
２１，３１      ギア部
２２，３２      ギア軸
２２ａ，２２ｂ，３２ａ，３２ｂ  軸端部
２３，３３      補助ギア
２４，３４      ギアキー
２５            フランジヨーク
４０            ギア軸支持部材
４１，４４      ベアリング保持部材
４２，４３      ベアリングカバー
４５            プレート
４６            補助ギアケース
５０            ベアリング
５１            外輪
５２            内輪
５３            ころ
５４            アダプタ部材
５５            ナット
６０            シールカバー
７０            メカニカルシール
８１，８２，８３  シール部材
９１，９２，９３，９４，９５，９６  ボルト
【図１】
0004443599.tif 000002
【図２】
0004443599.tif 000003
【図３】
0004443599.tif 000004
【図４】
0004443599.tif 000005
【図５】
0004443599.tif 000006
【図６】
0004443599.tif 000007